(57)【要約】【課題】動画印刷の分野で、印刷済フレームに類似するフレームが再印刷されることを防止することができる印刷システムを提供することを目的とする。【解決手段】動画データに関する動画の内容を表示し、動画データを構成する複数のフレームのうちの所望フレームを選択し、選択したフレームを印刷し、印刷したフレームの履歴情報と印刷したフレームが属するシーンの情報とを管理し、印刷したフレームの履歴情報を保存し、印刷したフレームの履歴情報に基づいて、選択したフレームが、印刷済シーンに属するかどうかを判定する。【選択図】図５
2007334406.tif 000002
【特許請求の範囲】
【請求項１】
動画データを構成する複数のフレームのうちで、印刷したフレームの情報である履歴情報と、連続するフレームの集合であるシーンの情報とを管理する印刷システムにおいて、
動画データに関する動画の内容を表示する表示手段と；
動画データを構成する複数のフレームのうちのフレームを選択するフレーム選択手段と；
選択したフレームを印刷するフレーム印刷手段と；
印刷したフレームの履歴情報と、印刷したフレームが属するシーンの情報とを管理する履歴管理手段と；
印刷したフレームの履歴情報を保存する履歴情報保存手段と；
上記履歴情報保存手段に保存されている印刷したフレームの履歴情報に基づいて、上記フレーム選択手段が選択したフレームが、印刷済シーンに属するかどうかを判定する判定手段と；
を有することを特徴とする印刷システム。
【請求項２】
請求項１において、
上記選択されたフレームが印刷済シーンに属さないと、上記判定手段が判定したフレームについて、印刷データを印刷装置に送信する印刷データ送信手段を有することを特徴とする印刷システム。
【請求項３】
請求項１において、
上記判定手段は、
上記履歴情報保存手段に保存されている印刷したフレームの履歴情報を参照し、シーン先頭のフレーム情報と終端のフレーム情報とを、上記選択されたフレーム情報と比較する比較手段と；
この比較手段が比較した結果に基づいて、上記選択されたフレームが、印刷済シーンに属するかどうかを決定する決定手段と；
を有する手段であることを特徴とする印刷システム。
【請求項４】
請求項１において、
上記選択されたフレームが印刷済シーンに属すると、上記判定手段が判定したフレームについて、重複印刷に対する警告メッセージを上記表示装置に送信する警告メッセージ送信手段を有することを特徴とする印刷システム。
【請求項５】
請求項３において、
上記比較手段は、印刷したシーンの前方について、類似画像を検索し、類似画像であると判定されなくなるまで処理を続け、類似画像であると判定された最も前方のフレームを、シーンの先頭として決定し、一方、印刷したシーンの後方について、類似画像を検索し、類似画像であると判定されなくなるまで、処理を続け、類似画像であると判定された最も後方のフレームをシーンの終端として決定する手段であることを特徴とする印刷システム。
【請求項６】
請求項１において、
印刷履歴情報に記録されているシーンの先頭フレームのサムネイルを上記表示装置に表示する表示制御手段を有することを特徴とする印刷システム。
【請求項７】
動画像のフレームを印刷した履歴情報と、特定のルールに基づいて決定された連続するフレームの集合であるシーンの情報とを管理する印刷システムの制御方法において、
動画データに関する動画の内容を表示装置に表示する表示工程と；
動画データを構成する複数のフレームのうちから選択されたフレームを印刷するフレーム印刷工程と；
印刷したフレームの履歴情報と、印刷したフレームが属するシーンの情報とを管理する履歴管理工程と；
印刷したフレームの履歴情報を保存する履歴情報保存工程と；
上記履歴情報保存工程で保存された印刷したフレームの履歴情報に基づいて、上記選択されたフレームが、印刷済シーンに属するかどうかを判定する判定工程と；
を有することを特徴とする印刷システムの制御方法。
【請求項８】
請求項７において、
上記選択されたフレームが印刷済シーンに属さないと、上記判定工程で判定されたフレームについて、印刷データを印刷装置に送信する印刷データ送信工程を有することを特徴とする印刷システムの制御方法。
【請求項９】
請求項７において、
上記選択されたフレームが印刷済シーンに属すると、上記判定工程で判定されたフレームについて、重複印刷に対する警告メッセージを上記表示装置に送信する警告メッセージ送信工程を有することを特徴とする印刷システムの制御方法。
【発明の詳細な説明】
【技術分野】
【０００１】
本発明は、動画印刷システムに関し、特に動画の印刷履歴を管理する機能を持つ印刷システムに関する。
【背景技術】
【０００２】
近年、ハードディスクやフラッシュメモリ等、ストレージ装置の容量が拡大することに伴い、ユーザが取り扱うことができる静止画の枚数や動画の容量が増大している。
【０００３】
これに伴い、静止画印刷の分野では、取り扱うことができる画像数が多いので、画像の管理が難しい。たとえば、過去に印刷したことを忘れたために起こる無駄な重複印刷や、焼き増しが必要な画像を忘れること等の問題がある。
【０００４】
これらの問題を解決するものとして、印刷履歴を利用する発明が提案されている（たとえば、特許文献１、特許文献２参照）。
【０００５】
一方、動画印刷の分野でも、静止画印刷と同様に、重複印刷や印刷忘れ等の問題が生じる。また、動画においては、１つの動画について１つの印刷履歴を管理したとしても、動画の中には様々な画像が存在しているので、１つの動画について１つの印刷履歴を管理しても、静止画のように印刷履歴を効果的に管理することはできない。
【０００６】
動画中のフレーム毎に、印刷履歴を管理する発明が提案されている（たとえば、特許文献３参照）。
【特許文献１】特開２００５−１５０８９２号公報
【特許文献２】特開２００５−１０９５８４号公報
【特許文献３】特開２００５−１７５７８２号公報
【発明の開示】
【発明が解決しようとする課題】
【０００７】
上記従来例では、１つの動画について１つの印刷履歴を保持する場合、フレーム毎の印刷情報を管理することができないという問題がある。
【０００８】
また、特許文献３記載の発明は、フレーム毎に印刷履歴を管理する発明であるが、この発明において、一度印刷したフレームと異なるフレームを印刷しても、内容的には同じ画像を印刷したことになる場合があり得る。
【０００９】
したがって、上記従来例では、類似フレームの印刷を防ぐことが難しいという問題がある。
【００１０】
本発明は、動画印刷の分野で、印刷済フレームに類似するフレームが再印刷されることを防止することができる印刷システムを提供することを目的とする。
【００１１】
また、本発明は、動画印刷の分野で、既に印刷したシーンを再び印刷したい場合、再度印刷したいフレームを容易に再印刷することができる印刷システムを提供することを目的とする。
【課題を解決するための手段】
【００１２】
本発明は、動画データを構成する複数のフレームのうちで、印刷したフレームの情報である履歴情報と、連続するフレームの集合であるシーンの情報とを管理する印刷システムにおいて、動画データに関する動画の内容を表示する表示手段とを有する。本発明は、動画データを構成する複数のフレームのうちの所望フレームを選択するフレーム選択手段と、選択したフレームを印刷するフレーム印刷手段と、印刷したフレームの履歴情報と印刷したフレームが属するシーンの情報を管理する履歴管理手段とを有する。本発明は、印刷したフレームの履歴情報を保存する履歴情報保存手段と、上記履歴情報保存手段に保存されている印刷したフレームの履歴情報に基づいて、上記フレーム選択手段が選択したフレームが、印刷済シーンに属するかどうかを判定する判定手段を有する。
【発明の効果】
【００１３】
本発明によれば、動画印刷の分野で、動画フレームの印刷履歴情報と、この印刷されたフレームが属するシーン情報とを管理するので、印刷済フレームに類似するフレームが再印刷されることを防止することができるという効果を奏する。
【００１４】
また、本発明によれば、既に印刷したシーンを再び印刷したい場合、シーンとフレームとの履歴情報を利用するので、再度印刷したいフレームを容易に再印刷することができるという効果を奏する。
【発明を実施するための最良の形態】
【００１５】
発明を実施するための最良の形態は、次の実施例である。
【実施例１】
【００１６】
図１は、本発明の実施例１である印刷システムＰＳ１のシステム構成を示す図である。
【００１７】
印刷システムＰＳ１は、入力装置１と、表示装置２と、ストレージ３と、印刷装置４と、主制御部１０とを有する。主制御部１０は、ＣＰＵ、ＲＯＭ、ＲＡＭを有する。
【００１８】
印刷システムＰＳ１では、第１に、印刷対象となる動画ファイルを開き、印刷するフレームを選択する。第２に、選択したフレームを印刷装置４に送信する。送信する際に、印刷履歴を参照しながら、重複したシーンの印刷を防ぐように処理する。第３に、印刷したフレームとシーンとを関連付け、印刷履歴として記録する。これらの処理によって、重複シーンの印刷を防ぐことができる。
【００１９】
次に、印刷システムＰＳ１の動作について説明する。
【００２０】
図２は、印刷システムＰＳ１において、プレビュー画面を利用して印刷対象フレームを選択する動作を示すフローチャートである。
【００２１】
図３は、印刷システムＰＳ１において、印刷フレーム選択処理の実行画面の例を示す図である。
【００２２】
図４は、印刷システムＰＳ１において、動画ファイルの一覧を示す図である。
【００２３】
Ｓ１では、ユーザのファイルオープン操作によって、選択された動画ファイルを開く。図３に示すボタン１１２ｄを押すと、図４に示す動画ファイルの一覧が表示されるので、一覧の中から１つのファイルを選択する。
【００２４】
Ｓ２では、選択された動画ファイルを再生し、この再生された映像を、図３に示すプレビュー画面１１０に表示する。図３に示す再生ボタン１１２ａを押すと、動画を再生表示することができる。また、ボタン１１２ｂを押すと、動画が一時停止し、１１２ｃボタンを押すと、動画が停止する。また、シークレバー１１３を動かすと、動画中の任意の位置から再生する。
【００２５】
Ｓ３、Ｓ４では、印刷対象としてフレームを追加するかどうかを判定し、印刷対象フレームを追加する。図３に示すボタン１１２ａを押すと、ボタン１１２ａを押した時にプレビュー画面に表示されているフレームを印刷対象として追加することができる。印刷対象として追加されたフレームは、画面１１１に一覧表示される。
【００２６】
フレームを印刷対象として追加するタイミングは、動画のプレビュー画面が再生中であるタイミングでもよく、また、一時停止中のタイミングでもよい。ただし、停止中または動画ファイルを開いていない状態で、ボタン１１４ａを押しても、フレームを印刷対象として追加する処理（Ｓ４）は実行しない。また、ボタン１１４ａが押されない限り、フレームを印刷対象として追加する処理（Ｓ４）を実行しない。
【００２７】
Ｓ５、Ｓ６では、選択したフレームを印刷対象フレームから削除するかどうかを判定し、フレーム削除ボタンが押されると、印刷対象フレームから削除する。図３に示すレバー１１３を使用して、フレームを選択すると、枠の色が変わる等の処理を行う。これによって、どのフレームが選択されたかをユーザが容易に把握することができる。
【００２８】
図３に示すレバー１１３によってフレームを選択した後に、ボタン１１４ｂを押すと、印刷対象フレームから、選択したフレームを削除する。この削除を実行した後は、画面１１１から削除したフレームの表示を消し、未選択状態になる。画面１１１のフレームを選択せずに、削除ボタン１１４ｂを押すと、印刷対象フレームからフレームを削除する処理（Ｓ６）が実行されない。また、ボタン１１４ｂが押されない限り、印刷対象フレームからフレームを削除する処理（Ｓ６）が実行されない。
【００２９】
Ｓ７で、ＥＳＣボタン１１５が押されると、印刷対象フレーム選択処理を終了する。
【００３０】
実施例１では、図３、図４に示す画面を使用して、フレームを選択するが、任意のフレームを選択できるのであれば、別の処理を用いてもよい。
【００３１】
次に、印刷データの送信処理について説明する。
【００３２】
図５は、図２に示すフローチャートで決定した印刷対象フレームを、印刷データとして印刷装置４に送信する動作を示すフローチャートである。
【００３３】
図６は、印刷履歴情報の形式を示す図である。
【００３４】
図７は、印刷確認の実行画面例を示す図である。
【００３５】
Ｓ１１では、印刷履歴情報を読み込む。印刷履歴情報は、動画毎に、図６に示すようなテーブル形式で表現される。図６に示すテーブルは、各シーン番号、開始フレーム番号、終端フレーム番号、印刷したフレーム番号の項目によって構成されている。図６に示すテーブルに、印刷回数等、他の項目を追加するようにしてもよい。
【００３６】
Ｓ１２では、未処理のフレームがあるかどうかを判定する。未処理のフレームがあれば、処理を続行し、未処理のフレームがなければ、印刷データ送信処理を終了する。
【００３７】
Ｓ１３、Ｓ１４で、未処理の印刷対象フレームから１つのフレームを選択し、選択されたフレームが印刷済シーンに属するかどうかを判定する。ここで、印刷対象フレームからフレームを選択する場合、印刷の順番に自動的に選択する。この選択されたフレームについて、印刷済シーンに属するかどうかを判定する。シーン先頭のフレーム番号と終端のフレーム番号とを、印刷履歴情報から参照し、上記選択されたフレーム番号と比較する。比較結果から、上記選択されたフレームが印刷済シーンに属するかどうかを決定する。印刷済シーンに属さないと判定されたフレームについては、Ｓ１５、Ｓ１６を実行せずに、印刷データを印刷装置４に送信する（Ｓ１７）。
【００３８】
Ｓ１５、Ｓ１６では、Ｓ１４で印刷済シーンに属すると判定されたフレームが存在することを警告するメッセージを表示し、印刷するかどうかを確認する。警告メッセージの表示に関しては、図７に示す印刷対象フレーム１２０と警告メッセージ１２１を表示させる。図７に示すＯＫボタン１２２が押されると、フレーム１２０を印刷し、キャンセルボタン１２３が押されると、フレーム１２０を印刷対象フレームから削除する。
【００３９】
Ｓ１７、Ｓ１８で、Ｓ１６までのステップで印刷済シーンに属さないフレームまたは、印刷すると決定されたフレームの印刷データを印刷装置４に送信する。
【００４０】
次に、シーン決定処理について説明する。
【００４１】
図８は、印刷したフレームが属するシーンを自動的に決定する処理を示すフローチャートである。
【００４２】
図９は、動画フレームの並びを示す図である。
【００４３】
Ｓ２０、Ｓ２１で、印刷履歴を読み込み、印刷履歴に存在する全てのシーンを調べ、印刷したフレームが属するシーンが見つかれば、Ｓ２２に進む。見つからなければ、Ｓ３０に進み、フレームが属するシーンを決定する。
【００４４】
Ｓ２２、Ｓ２３、Ｓ２４、Ｓ２５で、印刷したフレームの前方を検索し、シーンの先頭を決定する。動画ファイルでは、図９に示すように似たフレームが連続しているという特徴がある。実施例１では、この特徴を利用して、シーンを決定する処理を説明する。印刷したシーンの前方について、類似画像を検索し、類似画像であると判定されなくなるまで処理を続ける。類似画像であると判定された最も前方のフレームを、シーンの先頭として決定し、履歴に記録する。
【００４５】
Ｓ２６、Ｓ２７、Ｓ２８、Ｓ２９で、印刷したフレームの前方を検索し、シーンの先頭を決定する。印刷したシーンの後方について、類似画像を検索し、類似画像であると判定されなくなるまで、処理を続ける。類似画像であると判定された最も後方のフレームをシーンの終端として決定し、履歴に記録する。
【００４６】
Ｓ３０では、フレーム番号を履歴情報に記録する。Ｓ２９までの処理で、印刷したフレームが属するシーンを決定しているので、図６に示すように、シーンに対するフレーム番号を記録する。
【００４７】
実施例１では、シーンの自動決定処理に類似画像検索処理を用いたが、シーンを決定することができる手法であれば、他の画像処理手法を用いるようにしてもよい。
【００４８】
シーンを決定する場合、ユーザが手動で決定するようにしてもよい。
【００４９】
次に、ユーザが手動で決定する場合のシーン決定処理について説明する。
【００５０】
図１０は、ユーザが手動で決定する場合におけるシーン決定処理を示すフローチャートである。
【００５１】
Ｓ４１、Ｓ４２の処理は、Ｓ２０とＳ２１の処理と同じである。Ｓ４３では、上記フレーム選択処理で行ったように、印刷したフレームよりも前方のフレームを１つ選択する。Ｓ４４では、上記フレーム選択処理で行ったように、印刷したフレームよりも後方のフレームを１つ選択する。
【００５２】
Ｓ４５、Ｓ４６で、シーンの先頭フレームと終端フレームと印刷したフレーム番号とを、印刷履歴情報に記録する。Ｓ４３で選択したフレームを、シーンの先頭フレームとし、Ｓ４４で選択したフレームを、シーンの終端フレームとする。図６に示すように、シーンの先頭フレーム番号と終端フレーム番号と、シーンに対するフレーム番号とを記録する。
【００５３】
実施例１では、シーンを決定する場合は、自動的にシーンを決定する場合と、ユーザがシーンを手動で決定する場合であるが、たとえばチャプターのような予め設定されているシーン情報を利用して、シーンを決定するようにしてもよい。
【実施例２】
【００５４】
実施例１は、重複シーンの印刷を防ぎ、印刷履歴情報を記録する処理であるが、実施例２は、印刷履歴情報を利用して、再印刷を行う処理である。
【００５５】
実施例２における印刷履歴情報は、実施例１と同じであるので、履歴情報に関する説明を省略する。
【００５６】
次に、実施例２における再印刷処理について説明する。
【００５７】
図１１は、実施例２において、再印刷時に印刷対象フレーム選択処理を行う時の実行画面例を示す図である。
【００５８】
図１２は、実施例２において、再印刷処理を示すフローチャートである。
【００５９】
Ｓ５１で、印刷履歴情報を読み込む。読み込む印刷履歴情報は、実施例１と同じものである。
【００６０】
Ｓ５２で、印刷履歴情報に記録されているシーンを選択する。図１１に示す画像１３０には、印刷履歴情報に記録されているシーンの先頭フレームのサムネイルが表示されている。このサムネイルを選択することによって、シーンを選択する。シーンが選択されると、選択したシーンのサムネイル一覧１３１が表示される。
【００６１】
Ｓ５３、Ｓ５４で、終了ボタンが押されるまで、印刷対象フレームを選択する。サムネイル一覧１３１上で、１つのサムネイルが選択されると、図１１に示す外ワク１３３が太く表示される。この状態で、登録ボタン１３２ａを押すと、印刷対象フレームとして登録が行われ、図１１に示す外ワク１３４が点線で表示される。印刷対処フレームの登録を解除したい時は、外ワクが点線で表示されているサムネイルを選択し、削除ボタン１３２ｂを押す。登録解除後は、通常の状態でサムネイル１３５が表示される。全ての印刷対象フレームの登録が完了したら、終了ボタン１３６を押し、選択処理を終了する。
【００６２】
Ｓ５５で、印刷対象フレームとして登録されたフレームを印刷装置４に送信する。
【００６３】
これらの処理を行うことによって、シーン毎の印刷履歴を利用した、効果的な再印刷を実行することができる。
【図面の簡単な説明】
【００６４】
【図１】本発明の実施例１である印刷システムＰＳ１のシステム構成を示す図である。
【図２】印刷システムＰＳ１において、プレビュー画面を利用して印刷対象フレームを選択する動作を示すフローチャートである。
【図３】印刷システムＰＳ１において、印刷フレーム選択処理の実行画面の例を示す図である。
【図４】印刷システムＰＳ１において、動画ファイルの一覧を示す図である。
【図５】図２に示すフローチャートで決定した印刷対象フレームを、印刷データとして印刷装置４に送信する動作を示すフローチャートである。
【図６】印刷履歴情報の形式を示す図である。
【図７】印刷確認の実行画面例を示す図である。
【図８】印刷したフレームが属するシーンを自動的に決定する処理を示すフローチャートである。
【図９】動画フレームの並びを示す図である。
【図１０】ユーザが手動で決定する場合におけるシーン決定処理を示すフローチャートである。
【図１１】実施例２において、再印刷時に印刷対象フレーム選択処理を行う時の実行画面例を示す図である。
【図１２】実施例２において、再印刷処理を示すフローチャートである。
【符号の説明】
【００６５】
ＰＳ１…印刷システム、
１…入力装置、
２…表示装置、
３…ストレージ、
４…印刷装置、
１０…主制御部。
【図１】
2007334406.tif 000003
【図２】
2007334406.tif 000004
【図３】
2007334406.tif 000005
【図４】
2007334406.tif 000006
【図５】
2007334406.tif 000007
【図６】
2007334406.tif 000008
【図７】
2007334406.tif 000009
【図８】
2007334406.tif 000010
【図９】
2007334406.tif 000011
【図１０】
2007334406.tif 000012
【図１１】
2007334406.tif 000013
【図１２】
2007334406.tif 000014